(57)【要約】【課題】複数のユーザで１台の録画装置を利用する場合の各利用者の利便性を向上する。【解決手段】ユーザの操作を受け付ける操作入力部３０１と、通信ネットワークに接続し、データの送受信を行なう通信部３０２と、特定の外部端末に対応するユーザ情報を登録するユーザ情報管理部３０３と、通信部３０２が、外部端末からアクセス要求を受信したときにユーザ情報管理部３０３に外部端末に対応するユーザ情報が登録されているかどうかを判定するユーザ登録判定部３０４と、判定の結果、ユーザ情報管理部３０３に外部端末に対応するユーザ情報が登録されている場合、外部端末から録画予約要求を受け付けて、録画予約要求に対応するコンテンツの録画予約を行なう一方、操作入力部の操作により録画予約要求が入力された場合、録画予約要求に対応するコンテンツの録画予約を行なう録画予約要求処理部３０６と、を備える。【選択図】図３
2008135995.tif 000002
【特許請求の範囲】
【請求項１】
テレビジョン放送の録画を行なう録画装置であって、
ユーザの操作を受け付ける操作入力部と、
通信ネットワークに接続し、データの送受信を行なう通信部と、
特定の外部端末に対応するユーザ情報を登録するユーザ情報管理部と、
前記通信部が、外部端末からアクセス要求を受信したときに前記ユーザ情報管理部に前記外部端末に対応するユーザ情報が登録されているかどうかを判定するユーザ登録判定部と、
前記判定の結果、前記ユーザ情報管理部に前記外部端末に対応するユーザ情報が登録されている場合、前記外部端末から録画予約要求を受け付けて、前記録画予約要求に対応するコンテンツの録画予約を行なう一方、前記操作入力部の操作により録画予約要求が入力された場合、前記録画予約要求に対応するコンテンツの録画予約を行なう録画予約要求処理部と、
前記録画予約に従って、テレビジョン放送されたコンテンツを記憶するコンテンツ記憶部と、
画像または音声データを出力する出力部と、を備えることを特徴とする録画装置。
【請求項２】
前記特定の外部端末から録画予約されたコンテンツを示す情報と、その特定の外部端末に対応するユーザ情報とを対応付けて記憶するコンテンツ情報管理部と、
前記特定の外部端末から前記コンテンツ管理リストの取得要求があったとき、前記コンテンツ情報管理部に記憶されている情報に基づいて、その特定の外部端末から録画予約されたコンテンツを示す情報およびその特定の外部端末に対応するユーザ情報からなるコンテンツ管理リストを作成し、その特定の外部端末に対し、前記作成したコンテンツ管理リストを出力するコンテンツリスト取得要求処理部と、を備えることを特徴とする請求項１または請求項２記載の録画装置。
【請求項３】
前記録画予約要求処理部は、前記操作入力部の操作により録画予約要求が入力された場合は、ユーザを特定しない共通ユーザであるとしてその録画予約要求を受け付け、
前記コンテンツ情報管理部は、前記操作入力部の操作により録画予約されたコンテンツを示す情報と、前記操作入力部から入力された共通ユーザとしてのユーザ情報とを対応付けて記憶し、
前記コンテンツリスト取得要求処理部は、前記特定の外部端末から前記コンテンツ管理リストの取得要求があったとき、その特定の外部端末に対し、前記操作入力部の操作により録画予約されたコンテンツを示す情報および前記操作入力部から入力された共通ユーザとしてのユーザ情報を含むコンテンツ管理リストを出力することを特徴とする請求項２記載の録画装置。
【請求項４】
前記特定の外部端末または前記操作入力部から、前記コンテンツ記憶部に記憶されているコンテンツを削除する旨のコンテンツ削除要求を受け付けるコンテンツ削除要求処理部を更に備え、
前記コンテンツ情報管理部は、前記コンテンツ削除要求の対象となったコンテンツを示す情報と、前記コンテンツ削除要求をした特定の外部端末に対応するユーザ情報または前記コンテンツ削除要求をした共通ユーザとしてのユーザ情報とを対応付けて記憶し、
前記コンテンツリスト取得要求処理部は、前記特定の外部端末または前記操作入力部から前記コンテンツ管理リストの取得要求があったとき、前記コンテンツ情報管理部に記憶されている情報に基づいて、前記コンテンツ削除要求の対象となったコンテンツを示す情報および前記コンテンツ削除要求をした特定の外部端末に対応するユーザ情報または前記コンテンツ削除要求をした共通ユーザとしてのユーザ情報を含まないコンテンツ管理リストを作成し、前記特定の外部端末または前記出力部に対し、前記作成したコンテンツ管理リストを出力することを特徴とする請求項３記載の録画装置。
【請求項５】
前記コンテンツ削除要求処理部は、コンテンツ削除要求の対象となったコンテンツに対応付けられているユーザ情報と、コンテンツ削除要求の対象となったコンテンツについて録画予約要求をした前記外部端末に対応するユーザ情報またはコンテンツ削除要求の対象となったコンテンツについて録画予約要求をした共通ユーザとしてのユーザ情報とがすべて一致した場合に、前記コンテンツ記憶部から前記コンテンツ削除要求の対象となったコンテンツを削除することを特徴とする請求項４記載の録画装置。
【請求項６】
前記特定の外部端末から、前記コンテンツ記憶部に記憶されているコンテンツを削除する旨のコンテンツ削除要求があり、前記コンテンツ削除要求の対象となったコンテンツが前記操作入力部の操作により録画予約されると共に、前記コンテンツ削除要求をした特定の外部端末以外の特定の外部端末により録画予約されていた場合、前記コンテンツ削除要求をした特定の外部端末以外のすべての特定の外部端末に対し、前記コンテンツ削除要求の対象となったコンテンツを削除する旨の確認通知を出力するコンテンツ削除通知生成部を更に備えることを特徴とする請求項５記載の録画装置。
【請求項７】
前記コンテンツ削除要求処理部が、前記コンテンツを削除する旨の確認通知に対して特定の外部端末から削除を許可する旨の応答を受信した場合、
前記コンテンツ情報管理部は、前記コンテンツ削除要求の対象となったコンテンツを示す情報と、前記確認通知に対して削除を許可する旨の応答をした特定の外部端末に対応するユーザ情報とを対応付けて記憶し、
前記コンテンツリスト取得要求処理部は、前記確認通知に対して削除を許可する旨の応答をした特定の外部端末から前記コンテンツ管理リストの取得要求があったとき、前記コンテンツ情報管理部に記憶されている情報に基づいて、前記コンテンツ削除要求の対象となったコンテンツを示す情報および前記確認通知に対して削除を許可する旨の応答をした特定の外部端末に対応するユーザ情報を含まないコンテンツ管理リストを作成し、前記確認通知に対して削除を許可する旨の応答をした特定の外部端末に対し、前記作成したコンテンツ管理リストを出力することを特徴とする請求項６記載の録画装置。
【請求項８】
前記コンテンツ削除要求処理部は、前記コンテンツ削除要求をした特定の外部端末以外のすべての特定の外部端末から、前記確認通知に対して削除を許可する旨の応答を受信した場合に、前記コンテンツ記憶部から前記コンテンツ削除要求の対象となったコンテンツを削除することを特徴とする請求項６または請求項７記載の録画装置。
【請求項９】
前記コンテンツ削除要求処理部は、所定の時間内に、前記確認通知を出力した外部端末から確認通知に対する応答を受信しない場合は、削除を許可する旨の応答を受信したものとすることを特徴とする請求項７または請求項８記載の録画装置。
【請求項１０】
前記コンテンツ削除要求処理部は、所定の時間内に、前記確認通知を出力した外部端末から確認通知に対する応答を受信しない場合は、削除を許可しない旨の応答を受信したものとすることを特徴とする請求項７または請求項８記載の録画装置。
【請求項１１】
前記コンテンツ削除要求処理部は、所定の時間内に、前記確認通知を出力した外部端末から確認通知に対する応答を受信しない場合は、再度その外部端末へ確認通知を出力することを特徴とする請求項７または請求項８記載の録画装置。
【請求項１２】
前記ユーザ情報管理部は、前記操作入力部から入力された特定のユーザ情報を登録し、
前記ユーザ登録判定部は、前記操作入力部からユーザ情報が入力されたときに、前記ユーザ情報管理部に前記操作入力部から入力されたユーザ情報が登録されているかどうかを判定し、
前記録画予約要求処理部は、前記判定の結果、前記ユーザ情報管理部に前記操作入力部から入力されたユーザ情報が登録されている場合、前記操作入力部の操作による録画予約要求を受け付けて、前記録画予約要求に対応するコンテンツの録画予約を行なうことを特徴とする請求項１記載の録画装置。
【請求項１３】
前記録画予約要求処理部は、前記判定の結果、前記ユーザ情報管理部に前記操作入力部から入力されたユーザ情報が登録されていない場合、前記操作入力部の操作による録画予約要求を、ユーザを特定しない共通ユーザとして受け付けて、前記録画予約要求に対応するコンテンツの録画予約を行なうことを特徴とする請求項１２記載の録画装置。
【請求項１４】
請求項１から請求項１３のいずれかに記載の録画装置と、前記外部端末としての携帯端末装置と、から構成されることを特徴とする録画システム。
【請求項１５】
テレビジョン放送の録画を行なう録画装置の制御方法であって、
操作入力部からユーザの操作を受け付けるステップと、
通信部が通信ネットワークに接続しデータの送受信を行なうステップと、
ユーザ情報管理部が特定の外部端末に対応するユーザ情報を登録するステップと、
ユーザ登録判定部が、前記通信部を介して外部端末からアクセス要求を受信したときに前記ユーザ情報管理部に前記外部端末に対応するユーザ情報が登録されているかどうかを判定するステップと、
録画予約要求処理部が、前記判定の結果、前記ユーザ情報管理部に前記外部端末に対応するユーザ情報が登録されている場合、前記外部端末から録画予約要求を受け付けて、前記録画予約要求に対応するコンテンツの録画予約を行なう一方、前記操作入力部の操作により録画予約要求が入力された場合、前記録画予約要求に対応するコンテンツの録画予約を行なうステップと、
コンテンツ記憶部が、前記録画予約に従って、テレビジョン放送されたコンテンツを記憶するステップと、
出力部が、画像または音声データを出力するステップと、を少なくとも含むことを特徴とする録画装置の制御方法。
【請求項１６】
テレビジョン放送の録画を行なう録画装置の制御プログラムであって、
操作入力部からユーザの操作を受け付ける処理と、
通信部に通信ネットワークに接続しデータの送受信を行なわせる処理と、
ユーザ情報管理部に特定の外部端末に対応するユーザ情報を登録させる処理と、
ユーザ登録判定部に対し、前記通信部を介して外部端末からアクセス要求を受信したときに前記ユーザ情報管理部に前記外部端末に対応するユーザ情報が登録されているかどうかを判定させる処理と、
録画予約要求処理部に対し、前記判定の結果、前記ユーザ情報管理部に前記外部端末に対応するユーザ情報が登録されている場合、前記外部端末から録画予約要求を受け付けて、前記録画予約要求に対応するコンテンツの録画予約を行なわせる一方、前記操作入力部の操作により録画予約要求が入力された場合、前記録画予約要求に対応するコンテンツの録画予約を行なわせる処理と、
コンテンツ記憶部に、前記録画予約に従って、テレビジョン放送されたコンテンツを記憶させる処理と、
出力部に、画像または音声データを出力させる処理と、を少なくとも含み、コンピュータが実行し得る命令群として構成したことを特徴とする録画装置の制御プログラム。
【発明の詳細な説明】
【技術分野】
【０００１】
本発明は、複数のユーザで利用可能な録画装置、録画システム、録画装置の制御方法および録画装置の制御プログラムに関する。
【背景技術】
【０００２】
近年では、デジタルデータ処理技術の進歩や、ハードディスクの大容量化および低価格化等に伴って、ＨＤＤ（Hard Disc Drive）を内蔵したビデオレコーダが開発されている。このＨＤＤ内蔵のビデオレコーダは、テレビジョン放送波を受信し、そのテレビジョン信号をＭＰＥＧ（Moving Picture Image Coding Experts Group）２形式のストリームに変換して、ハードディスクに記録することができる。そして、このＨＤＤ内蔵のビデオレコーダによれば、ハードディスクに保存された各番組のリストをメニュー画面として表示させることにより、ユーザが所望の番組を自由に選択して視聴または消去することが可能となっている。
【０００３】
ところで、ＶＴＲ（Video Tape Recorder）では、自分だけが見る番組を自分用のテープカセットに保存し管理することができたが、このＨＤＤ内臓のビデオレコーダはＶＴＲでカセットを交換するようなことはできないため、個人用の録画というものができない。ＨＤＤ内臓のビデオレコーダでは、１台を家族で共用する場合が多いので、誰が使っても家族全員が予約したコンテンツが見えてしまう。また、自分が予約したコンテンツを探すのに手間がかかり、さらに、自分が見終わっても他の人が見終わったかどうかを確認しなければ、消去してよいかどうか決めることができないこともある。そのため消去することができないコンテンツが増えてしまい大容量のＨＤＤを効率よく利用することができない。
【０００４】
また、自分が予約したコンテンツを他の人には知られたくないということもある。そのため、１台のＨＤＤ内臓のビデオレコーダを複数のユーザがそれぞれの個人端末のように扱える技術が考えられている。
【０００５】
特許文献１では、録画装置に登録してある携帯からの録画予約を、登録携帯ごとに管理する。これにより利用者はあたかも自分専用の録画機を使っているように感じる。特許文献２では、複数のユーザが同じ録画装置を使ったとき、ユーザ毎に録画データの管理を行なう。主眼はコンテンツの削除についてであり、同じ番組を録画した場合、一人からの削除操作でコンテンツが削除されてしまわないように、すべてのユーザが削除操作してからコンテンツを削除する。これによって、誤った削除操作を防ぐことができる。
【特許文献１】特開２００３−２２４７９６号公報
【特許文献２】特開２００３−０１６７６２号公報
【発明の開示】
【発明が解決しようとする課題】
【０００６】
特許文献１および特許文献２は、共に１台のＨＤＤレコーダを複数のユーザで使用するときに、各ユーザが個人専用として使えるように考えられた発明である。ＨＤＤ内臓のビデオレコーダを家族で共有して使用する良いところとしては、家族みんなが見るような番組を録画予約しておけば、ＶＴＲのようにビデオカセットを探してみるのではなく、リストから簡単に選んで選択できることにある。従って、ＨＤＤ内臓レコーダはユーザの個人用としても、共用としても利用できることが望ましい。
【０００７】
このような二つのモードを実現する場合、特許文献１と特許文献２では以下のような課題が考えられる。特許文献１では、携帯電話からは個人モードとして利用可能であるが、ＨＤＤ内臓のレコーダを直接利用したときは、どういうモードで動作するのか、またそこで録画予約された場合はリストとしては、携帯電話、テレビにどのように表示されるのか考慮されていない。特許文献２でも同じく共用モードを考慮していないので、個人モードで録画予約をしていたユーザが、共用モードでも予約されていたので、共用モードでみて、削除すると、個人モードから削除しない限りいつまでも削除されずに残ってしまうといった事が起こりうる。
【０００８】
本発明は、このような事情に鑑みてなされたものであり、複数のユーザで１台の録画装置を利用する場合の、各利用者の利便性を向上することができる録画装置、録画システム、録画装置の制御方法および録画装置の制御プログラムを提供することを目的とする。
【課題を解決するための手段】
【０００９】
（１）上記の目的を達成するために、本発明は、以下のような手段を講じた。すなわち、本発明の録画装置は、テレビジョン放送の録画を行なう録画装置であって、ユーザの操作を受け付ける操作入力部と、通信ネットワークに接続し、データの送受信を行なう通信部と、特定の外部端末に対応するユーザ情報を登録するユーザ情報管理部と、前記通信部が、外部端末からアクセス要求を受信したときに前記ユーザ情報管理部に前記外部端末に対応するユーザ情報が登録されているかどうかを判定するユーザ登録判定部と、前記判定の結果、前記ユーザ情報管理部に前記外部端末に対応するユーザ情報が登録されている場合、前記外部端末から録画予約要求を受け付けて、前記録画予約要求に対応するコンテンツの録画予約を行なう一方、前記操作入力部の操作により録画予約要求が入力された場合、前記録画予約要求に対応するコンテンツの録画予約を行なう録画予約要求処理部と、前記録画予約に従って、テレビジョン放送されたコンテンツを記憶するコンテンツ記憶部と、画像または音声データを出力する出力部と、を備えることを特徴としている。
【００１０】
この構成により、外部端末から録画予約するユーザモードと操作入力部から直接録画予約する共用モードとを使い分けることが可能となる。
【００１１】
（２）また、本発明の録画装置は、前記特定の外部端末から録画予約されたコンテンツを示す情報と、その特定の外部端末に対応するユーザ情報とを対応付けて記憶するコンテンツ情報管理部と、前記特定の外部端末から前記コンテンツ管理リストの取得要求があったとき、前記コンテンツ情報管理部に記憶されている情報に基づいて、その特定の外部端末から録画予約されたコンテンツを示す情報およびその特定の外部端末に対応するユーザ情報からなるコンテンツ管理リストを作成し、その特定の外部端末に対し、前記作成したコンテンツ管理リストを出力するコンテンツリスト取得要求処理部と、を備えることを特徴としている。
【００１２】
このように、外部端末から録画予約するユーザモードの録画予約では、そのユーザのみが予約状態または記録状態をリストで確認できるので、そのユーザが録画予約したコンテンツがどのようなものであるかを他人に知られることが無くなる。
【００１３】
（３）また、本発明の録画装置において、前記録画予約要求処理部は、前記操作入力部の操作により録画予約要求が入力された場合は、ユーザを特定しない共通ユーザであるとしてその録画予約要求を受け付け、前記コンテンツ情報管理部は、前記操作入力部の操作により録画予約されたコンテンツを示す情報と、前記操作入力部から入力された共通ユーザとしてのユーザ情報とを対応付けて記憶し、前記コンテンツリスト取得要求処理部は、前記特定の外部端末から前記コンテンツ管理リストの取得要求があったとき、その特定の外部端末に対し、前記操作入力部の操作により録画予約されたコンテンツを示す情報および前記操作入力部から入力された共通ユーザとしてのユーザ情報を含むコンテンツ管理リストを出力することを特徴としている。
【００１４】
この構成により、共用モードの録画予約では、すべてのユーザが予約状態または記録状態をリストで確認できるので、各ユーザは、そのコンテンツを録画予約したいと考えた場合は、重複して録画予約をする必要が無くなる。
【００１５】
（４）また、本発明の録画装置は、前記特定の外部端末または前記操作入力部から、前記コンテンツ記憶部に記憶されているコンテンツを削除する旨のコンテンツ削除要求を受け付けるコンテンツ削除要求処理部を更に備え、前記コンテンツ情報管理部は、前記コンテンツ削除要求の対象となったコンテンツを示す情報と、前記コンテンツ削除要求をした特定の外部端末に対応するユーザ情報または前記コンテンツ削除要求をした共通ユーザとしてのユーザ情報とを対応付けて記憶し、前記コンテンツリスト取得要求処理部は、前記特定の外部端末または前記操作入力部から前記コンテンツ管理リストの取得要求があったとき、前記コンテンツ情報管理部に記憶されている情報に基づいて、前記コンテンツ削除要求の対象となったコンテンツを示す情報および前記コンテンツ削除要求をした特定の外部端末に対応するユーザ情報または前記コンテンツ削除要求をした共通ユーザとしてのユーザ情報を含まないコンテンツ管理リストを作成し、前記特定の外部端末または前記出力部に対し、前記作成したコンテンツ管理リストを出力することを特徴としている。
【００１６】
この構成により、ユーザからコンテンツを削除する指示がされると、そのユーザ用のリストからのみ当該コンテンツを示す情報が消えるので、他のユーザの予約状況や削除状況に影響を与えることが無くなる。例えば、同じコンテンツについて録画予約をし、かつ削除を希望しないユーザがいた場合は、そのコンテンツは削除されずに残ることになる。
【００１７】
（５）また、本発明の録画装置において、前記コンテンツ削除要求処理部は、コンテンツ削除要求の対象となったコンテンツに対応付けられているユーザ情報と、コンテンツ削除要求の対象となったコンテンツについて録画予約要求をした前記外部端末に対応するユーザ情報またはコンテンツ削除要求の対象となったコンテンツについて録画予約要求をした共通ユーザとしてのユーザ情報とがすべて一致した場合に、前記コンテンツ記憶部から前記コンテンツ削除要求の対象となったコンテンツを削除することを特徴としている。
【００１８】
この構成により、複数のユーザから録画予約されたコンテンツを削除するのは、すべてのユーザから削除要求があったときに限られるので、一人でも削除を希望しないユーザがいた場合は、そのコンテンツは削除されずに残ることになり、不注意による削除を防止することができる。
【００１９】
（６）また、本発明の録画装置は、前記特定の外部端末から、前記コンテンツ記憶部に記憶されているコンテンツを削除する旨のコンテンツ削除要求があり、前記コンテンツ削除要求の対象となったコンテンツが前記操作入力部の操作により録画予約されると共に、前記コンテンツ削除要求をした特定の外部端末以外の特定の外部端末により録画予約されていた場合、前記コンテンツ削除要求をした特定の外部端末以外のすべての特定の外部端末に対し、前記コンテンツ削除要求の対象となったコンテンツを削除する旨の確認通知を出力するコンテンツ削除通知生成部を更に備えることを特徴としている。
【００２０】
この構成により、録画装置を直接操作したユーザが、外部端末からも録画予約をしていた場合、共通ユーザによって録画予約されたコンテンツに対して削除要求がされた場合、削除要求をしたユーザ以外のすべてのユーザに通知するので、いつまでも削除されずに残ってしまうことが起こりにくくなる。
【００２１】
（６）また、本発明の録画装置において、前記コンテンツ削除要求処理部が、前記コンテンツを削除する旨の確認通知に対して特定の外部端末から削除を許可する旨の応答を受信した場合、前記コンテンツ情報管理部は、前記コンテンツ削除要求の対象となったコンテンツを示す情報と、前記確認通知に対して削除を許可する旨の応答をした特定の外部端末に対応するユーザ情報とを対応付けて記憶し、前記コンテンツリスト取得要求処理部は、前記確認通知に対して削除を許可する旨の応答をした特定の外部端末から前記コンテンツ管理リストの取得要求があったとき、前記コンテンツ情報管理部に記憶されている情報に基づいて、前記コンテンツ削除要求の対象となったコンテンツを示す情報および前記確認通知に対して削除を許可する旨の応答をした特定の外部端末に対応するユーザ情報を含まないコンテンツ管理リストを作成し、前記確認通知に対して削除を許可する旨の応答をした特定の外部端末に対し、前記作成したコンテンツ管理リストを出力することを特徴としている。
【００２２】
この構成により、削除する旨の確認通知に対して削除許可と応答したユーザについては、そのユーザ用のリストからのみ当該コンテンツを示す情報が消えるので、他のユーザの予約状況や削除状況に影響を与えることが無くなる。例えば、同じコンテンツについて録画予約をし、かつ削除を希望しないユーザがいた場合は、そのコンテンツは削除されずに残ることになる。
【００２３】
（７）また、本発明の録画装置において、前記コンテンツ削除要求処理部は、前記コンテンツ削除要求をした特定の外部端末以外のすべての特定の外部端末から、前記確認通知に対して削除を許可する旨の応答を受信した場合に、前記コンテンツ記憶部から前記コンテンツ削除要求の対象となったコンテンツを削除することを特徴としている。
【００２４】
この構成により、共通ユーザによって録画予約されたコンテンツに対して削除要求がされた場合、削除要求をしたユーザ以外のすべてのユーザに通知し、すべてのユーザから削除を許可する旨の応答があったときにのみ、そのコンテンツを削除するので、一人でも削除を希望しないユーザがいた場合は、そのコンテンツは削除されずに残ることになり、不注意による削除を防止することができる。
【００２５】
（８）また、本発明の録画装置において、前記コンテンツ削除要求処理部は、所定の時間内に、前記確認通知を出力した外部端末から確認通知に対する応答を受信しない場合は、削除を許可する旨の応答を受信したものとすることを特徴としている。
【００２６】
この構成により、所定時間経過後に処理を進めることが可能となる。
【００２７】
（９）また、本発明の録画装置において、前記コンテンツ削除要求処理部は、所定の時間内に、前記確認通知を出力した外部端末から確認通知に対する応答を受信しない場合は、削除を許可しない旨の応答を受信したものとすることを特徴としている。
【００２８】
この構成により、所定時間経過後に処理を進めることが可能となる。
【００２９】
（１０）また、本発明の録画装置において、前記コンテンツ削除要求処理部は、所定の時間内に、前記確認通知を出力した外部端末から確認通知に対する応答を受信しない場合は、再度その外部端末へ確認通知を出力することを特徴としている。
【００３０】
この構成により、応答をしないユーザに対して決定を催促することができる。
【００３１】
（１１）また、本発明の録画装置において、前記ユーザ情報管理部は、前記操作入力部から入力された特定のユーザ情報を登録し、前記ユーザ登録判定部は、前記操作入力部からユーザ情報が入力されたときに、前記ユーザ情報管理部に前記操作入力部から入力されたユーザ情報が登録されているかどうかを判定し、前記録画予約要求処理部は、前記判定の結果、前記ユーザ情報管理部に前記操作入力部から入力されたユーザ情報が登録されている場合、前記操作入力部の操作による録画予約要求を受け付けて、前記録画予約要求に対応するコンテンツの録画予約を行なうことを特徴としている。
【００３２】
この構成により、録画装置を直接操作する場合にもユーザ認証を行なうことが可能となる。
【００３３】
（１２）また、本発明の録画装置において、前記録画予約要求処理部は、前記判定の結果、前記ユーザ情報管理部に前記操作入力部から入力されたユーザ情報が登録されていない場合、前記操作入力部の操作による録画予約要求を、ユーザを特定しない共通ユーザとして受け付けて、前記録画予約要求に対応するコンテンツの録画予約を行なうことを特徴としている。
【００３４】
この構成により、録画装置において、操作入力部から直接録画予約するユーザモードと共用モードとを使い分けることが可能となる。
【００３５】
（１３）また、本発明の録画システムは、請求項１から請求項１３のいずれかに記載の録画装置と、前記外部端末としての携帯端末装置と、から構成されることを特徴としている。
【００３６】
この構成により、ユーザモードと共用モードとを使い分けることが可能となる。
【００３７】
（１４）また、本発明の録画装置の制御方法は、テレビジョン放送の録画を行なう録画装置の制御方法であって、操作入力部からユーザの操作を受け付けるステップと、通信部が通信ネットワークに接続しデータの送受信を行なうステップと、ユーザ情報管理部が特定の外部端末に対応するユーザ情報を登録するステップと、ユーザ登録判定部が、前記通信部を介して外部端末からアクセス要求を受信したときに前記ユーザ情報管理部に前記外部端末に対応するユーザ情報が登録されているかどうかを判定するステップと、録画予約要求処理部が、前記判定の結果、前記ユーザ情報管理部に前記外部端末に対応するユーザ情報が登録されている場合、前記外部端末から録画予約要求を受け付けて、前記録画予約要求に対応するコンテンツの録画予約を行なう一方、前記操作入力部の操作により録画予約要求が入力された場合、前記録画予約要求に対応するコンテンツの録画予約を行なうステップと、コンテンツ記憶部が、前記録画予約に従って、テレビジョン放送されたコンテンツを記憶するステップと、出力部が、画像または音声データを出力するステップと、を少なくとも含むことを特徴としている。
【００３８】
この構成により、外部端末から録画予約するユーザモードと操作入力部から直接録画予約する共用モードとを使い分けることが可能となる。
【００３９】
（１５）また、本発明の録画装置の制御プログラムは、テレビジョン放送の録画を行なう録画装置の制御プログラムであって、操作入力部からユーザの操作を受け付ける処理と、通信部に通信ネットワークに接続しデータの送受信を行なわせる処理と、ユーザ情報管理部に特定の外部端末に対応するユーザ情報を登録させる処理と、ユーザ登録判定部に対し、前記通信部を介して外部端末からアクセス要求を受信したときに前記ユーザ情報管理部に前記外部端末に対応するユーザ情報が登録されているかどうかを判定させる処理と、録画予約要求処理部に対し、前記判定の結果、前記ユーザ情報管理部に前記外部端末に対応するユーザ情報が登録されている場合、前記外部端末から録画予約要求を受け付けて、前記録画予約要求に対応するコンテンツの録画予約を行なわせる一方、前記操作入力部の操作により録画予約要求が入力された場合、前記録画予約要求に対応するコンテンツの録画予約を行なわせる処理と、コンテンツ記憶部に、前記録画予約に従って、テレビジョン放送されたコンテンツを記憶させる処理と、出力部に、画像または音声データを出力させる処理と、を少なくとも含み、コンピュータが実行し得る命令群として構成したことを特徴としている。
【００４０】
この構成により、外部端末から録画予約するユーザモードと操作入力部から直接録画予約する共用モードとを使い分けることが可能となる。
【発明の効果】
【００４１】
本発明によれば、録画装置を、ユーザモードと操作入力部から直接録画予約する共用モードとを使い分けることができるので、複数のユーザで利用する場合に利便性を向上することができる。
【発明を実施するための最良の形態】
【００４２】
（第１の実施形態）
図１は、第１の実施形態に係る録画システムの概略構成を示す図である。この録画システムは、例えば、家庭内にある録画装置１０１と、ユーザＡが所有する携帯端末装置１０２およびユーザＢが所有する１０３とが、通信ネットワーク１０４を介して接続されている。録画装置１０１には、モニタ１０５と接続されており、録画コンテンツの視聴などができるようになっている。
【００４３】
録画装置１０１は、ＨＤＤ（ハードディスクドライブ）レコーダなどであり、地上、衛星のデジタル、アナログ放送や、ＣＳ放送など、様々な放送波を受信し録画できるものである。ここでは、ビデオやＤＶＤといったメディアのような実体で録画したコンテンツを各ユーザが共有できない録画装置を想定している。もちろん、ＨＤＤと共にＤＶＤやビデオがついても構わない。また、録画したコンテンツの保存先が録画装置１０１内になくても構わない。通信ネットワーク上のＨＤＤに保存するといった機能を有していても良い。
【００４４】
携帯端末装置１０２、１０３は、ユーザ毎に所有するものが好ましく、最も一般的なのは携帯電話機である。この携帯電話機は、インターネットに接続でき、家庭内の録画装置１０１と通信する機能があれば良い。携帯電話機以外にもＰＤＡや携帯型ゲーム機などが考えられる。
【００４５】
通信ネットワーク１０４は、インターネット接続、ＬＡＮ接続などが考えられる。家庭内と外部のネットワークの接続にはゲートウェイを設置してホームネットワークとしてインターネットに接続してもよい。
【００４６】
このような環境の下、第１の実施形態では、ユーザＡ、ユーザＢが使用する携帯端末装置１０２、１０３から録画装置１０１を使用すると、ユーザＡ、ユーザＢのプライベート端末のように見え、録画装置１０１を直接操作すると、家庭のみんなで使える共用モードとして利用でき、録画装置を複数人で使用するときの利便性を向上するものである。
【００４７】
図２は、第１の実施形態に係る携帯端末装置の概略構成を示すブロック図である。携帯端末装置１０３も同様の構成である。図２において、操作入力部２０１は、携帯端末の各種操作入力を行なう。キーボードやタッチパネルである。あるいは音声入力を認識しコマンド入力として扱うようなデバイスでもよい。表示部２０２は、画面表示装置であり、各種ＵＩを表示する。ユーザはこれを見ながら操作入力できる。携帯端末に取り付けられたモニタなどである。
【００４８】
録画予約要求処理部２０３は、操作入力部２０１より録画予約が指示されると、番組情報取得部２０４より番組リストを取得し、表示部２０２に表示する。表示された番組リストより、ユーザによって予約する番組が決定されたら、録画装置情報管理部２０８より録画予約する端末の情報と、端末情報管理部２０９より携帯端末装置１０２の識別情報を取得し、録画予約要求を作成し、通信部２１０より録画装置１０１へ送信する。録画装置１０１より応答があれば完了やエラーを表示部２０２に表示する。
【００４９】
コンテンツリスト取得要求処理部２０５は、操作入力部２０１より録画端末１０１のコンテンツリストの表示が指示されると、録画装置情報管理部２０８よりコンテンツリストを取得する録画装置の情報と、端末情報管理部２０９より携帯端末装置１０２の識別情報を取得し、コンテンツリスト取得要求を作成し、通信部２１０より録画装置１０１へ送信する。録画装置１０１より応答があれば受信したコンテンツリストを表示したり、エラーを表示したりする。
【００５０】
コンテンツ削除要求処理部２０６は、コンテンツリストを表示中などにコンテンツの削除指示がユーザによってなされると、削除するコンテンツの情報と、録画装置情報管理部２０８より削除要求する端末の情報と、端末情報管理部２０９より携帯端末装置１０２の識別情報を取得し、コンテンツ削除要求を作成し、通信部２１０より録画装置１０１へ送信する。録画装置１０１より応答があれば、コンテンツの削除の成否などを表示部２０２より表示する。
【００５１】
他のユーザや、録画装置１０１を直接操作してコンテンツの削除指示がなされると、そのコンテンツを削除しても良いかどうかの確認通知が録画装置１０１より送られてくる。このとき、コンテンツ削除通知処理部２０７は、ユーザに削除の可否を求める画面を表示し、ユーザの入力した結果に基づき、削除の可否と、録画装置情報管理部２０８より応答する端末の情報と、端末情報管理部２０９より携帯端末装置１０２の識別情報を取得し、コンテンツ削除通知応答を作成し、通信部２１０より録画装置１０１へ送信する。録画装置１０１より応答があれば、コンテンツの削除の成否などを表示部２０２より表示する。
【００５２】
録画装置情報管理部２０８は、録画装置１０１の情報を管理している。管理している情報は、図４に示すように、ネットワーク上で録画装置１０１を示す情報と、ユーザに表示する表示名が対応づけて管理されている。録画装置が複数ある場合は、録画予約やリストの取得の際に録画装置のリスト一覧を表示してそこから指示する録画装置を選択するようにしても良いし、図４のように各録画装置で受信可能な放送波も管理しておき、予約された番組を受信できる録画装置を自動選択して、録画予約要求を送信してもよい。コンテンツリストの取得要求である場合は、管理しているすべての録画装置からリストを取得し、ユーザには録画装置の種別を意識させずに表示しても良い。
【００５３】
端末情報管理部２０９は、携帯端末装置１０２自身の情報を管理している。管理しているのは自分の電話番号やメールアドレスなどで、この情報は、録画装置１０１に送信され、ユーザ認証をするために用いられる。ユーザＩＤとパスワードなどでもよい。
【００５４】
通信部２１０は、ネットワークに接続され各種要求の送信や、応答の受信を行なう。携帯端末装置１０２でコンテンツの再生が可能な場合は、音声や映像データの送受信も行なう。上記各構成要素は、制御線２１１を介して相互にデータの送信および受信が可能となっている。
【００５５】
図３は、第１の実施形態に係る録画装置の概略構成を示すブロック図である。操作入力部３０１は、ユーザによる操作入力を受け付ける。ユーザは、出力部３１４に接続されたモニタなどの映像・音声出力装置３１５や、録画装置１０１の本体に備えられている画面を見ながら、リモコンや録画装置１０１に備えられたボタンなどを操作して、入力を行なう。また、タッチパネルや音声認識による声による操作入力などもあり得る。通信部３０２は、通信ネットワーク１０４に接続されており、携帯端末装置１０２、１０３と通信でき、さまざまな要求やそれに対する応答を送受信する。
【００５６】
ユーザ登録判定部３０４は、通信部３０２を介して受信する要求の送信元が登録されているユーザかどうかを判断する。操作入力部３０１からの入力にも認証（登録判定）が必要であれば認証する。受信した各種要求に含まれているユーザ情報が、ユーザ情報管理部３０３に登録されているかどうかを判断し、登録されていれば認証成功とする。ユーザ情報管理部３０３は、ユーザ毎に認証（登録判定）に用いる識別情報を管理している。例えば、図５に示すように、登録端末情報として携帯端末（携帯電話機）の電話番号や、録画装置１０１を特定する情報が管理される。第１の実施形態では、ユーザが録画装置１０１を直接操作した場合、そのユーザを共通ユーザとするので、録画装置１０１を示す識別情報「ＨＤＤ＠ｈｏｍｅ」と共通ユーザとが対応している。管理する情報はさらに多くても良い。例えば、あるユーザには録画予約できるが、あるユーザは録画予約できず録画されているコンテンツを見ることしかできないとか、ユーザによって削除できる、できないといった操作ができるように各ユーザに操作制限を与えてもよい。要求判別部３０５は、ユーザ認証を通過した要求について、各種処理部に振り分ける。
【００５７】
録画予約要求処理部３０６は、録画予約要求にある、録画予約番組とユーザ情報とをコンテンツ情報管理部３１２に登録し、録画時間になるとチューナ部３０７に対して録画する番組を受信するよう制御して、録画処理を行なう。録画した番組は、コンテンツ記憶部３１３に保存され、コンテンツ情報管理部３１２に保存場所を設定し、録画状況を録画済みに変更する。また、予約の完了や録画の完了を要求元に通知する。
【００５８】
チューナ部３０７は、放送網から所望の周波数の放送波を受信する。また、放送波に混入されて送られる番組表も受信する。チューナ部３０７は、録画装置１０１に最低１つは必要であるが、複数個存在しても問題はない。コンテンツリスト取得要求処理部３０８は、コンテンツ情報管理部３１２で管理されているコンテンツリストから、要求を行ったユーザと、共通ユーザがユーザ情報として含まれているコンテンツのリストを取得し、要求元に送信する。
【００５９】
コンテンツ削除要求処理部３０９は、削除要求を受け付け、要求元のユーザへ出力するコンテンツリストで該当するコンテンツが表示されないようにする。これにより、要求元のユーザは、コンテンツリストで該当するコンテンツが見えなくなる。なお、後述するように、そのコンテンツのユーザ情報にあるすべてのユーザが、そのコンテンツの削除を要求すれば、コンテンツ記憶部３１３に保存されたコンテンツの実体を削除する。
【００６０】
コンテンツ削除通知生成部３１０は、削除要求されたコンテンツが、共通ユーザが録画予約したコンテンツであると共に、他のユーザにも録画予約されていた場合に、すべてのユーザに削除の可否の問い合わせを行なう。これにより、録画装置１０１を直接操作したユーザが、携帯端末装置からも録画予約をしていた場合、この通知が行くことにより、いつまでも削除し忘れるということ起こりにくくなる。
【００６１】
コンテンツ再生処理部３１１は指定されたコンテンツをコンテンツ記憶部３１３より取得し再生し、出力部３１４より映像・音声信号を出力し、映像・音声出力装置３１５で表示する。再生だけでなく、早送り、巻き戻し、一時停止、スロー再生、コマ送りなどの再生制御ができる。
【００６２】
コンテンツ情報管理部３１２は、図１０に示すように、録画装置１０１で記憶しているコンテンツを管理するための「コンテンツ管理リスト」を持ち、録画予約されたコンテンツそれぞれについて、番組名、放送時間、チャンネル、録画モードなどのコンテンツ情報や、コンテンツの実体がどのユーザから録画予約されたか、削除要求はどのくらいされているか、といった情報を管理している。これにより、プライベートモードと、共用モードをうまく使えるようになる。
【００６３】
コンテンツ記憶部３１３は、コンテンツの実体を保存する。例えば、ＨＤＤなどが該当する。コンテンツ記憶部３１３は、必ずしも録画装置１０１内部に存在していなくても良く、同一のＬＡＮ内あるいはインターネット上にあってもよい。
【００６４】
出力部３１４は、コンテンツ再生処理部３１１に再生された音声・映像信号を出力する。ＲＣＡ、ＨＤＭＩ、Ｄ端子などである。映像・音声出力装置３１５は、モニタやスピーカであり、出力部３１４より出力された映像・音声信号を表示、再生する。
【００６５】
次に、第１の実施形態に係る録画装置の動作について説明する。具体的には、ユーザＡが利用する携帯端末装置１０２と、ユーザＢが利用する携帯端末装置１０３と、録画装置１０１に直接録画予約した際の、各ユーザのコンテンツの見え方や、削除のされ方などについて説明する。また、以下では、図６に示すように、携帯端末装置１０２、携帯端末装置１０３、録画装置１０１からそれぞれ、３つ、１つ、１つの録画予約がなされた場合を例にとって説明する。図５は各端末が行なう録画予約要求を示したもので、録画装置、各端末の端末情報、録画する番組のチャンネル、時刻、録画モードなどが設定されている。
【００６６】
図７は、携帯端末装置１０２、および１０３における処理の概要を示すフローチャートである。ここでの処理は、携帯端末装置１０２、１０３とも同じなので、以下では携帯端末装置１０２について説明する。まず、ユーザによる各種の処理入力が行われる（ステップＳ１）。第１の実施形態では、各種の処理として、録画予約処理、コンテンツリスト表示処理、コンテンツ削除処理を取り上げる。このほかにも、コンテンツを取得して携帯端末装置１０２で視聴する処理やなどが考えられる。
【００６７】
次に、ユーザから入力された各種の処理を、要求として録画装置１０１に対して送信する（ステップＳ２）。このとき、録画装置情報管理部２０８で管理されている録画装置から所望の録画装置の選択を、ユーザによる選択あるいは自動選択で行ない、ネットワーク上で選択された端末を識別可能なあて先に対して、端末情報管理部２０９から自端末の識別情報を付加して各種の要求を送信する。ここでは、携帯端末装置１０２、および１０３の録画装置情報管理部２０８に、図４で示す録画装置情報リストが管理されているものとする。このリストでは、ネットワーク上で録画装置を特定する録画装置アドレスと、ユーザに対して分かり易く表示する表示名、そして、それぞれの端末が受信可能な放送波が管理されている。受信可能な放送波を管理することで、番組表から決定した録画予約番組を受信可能な録画装置を自動で選択し、録画予約要求を行なうことができる。それぞれの処理については後述する。図４では、録画装置として“家のＨＤＤレコーダ”と“別荘のＨＤＤレコーダ”とが登録されている。それぞれが受信できる放送波は、“地上アナログ放送、地上デジタル放送、衛星デジタル放送”と“地上アナログ放送”となっている。
【００６８】
次に、図７において、送信した要求に対して応答を待ち、所定時間内に録画装置１０１から応答があったかどうかを判断する（ステップＳ３）。所定時間内に録画装置１０１から応答がなければ、処理ができなかったことをユーザに通知する（ステップＳ４）。エラーを通知する場合は、所定時間内に応答がない場合だけでなく、ネットワークが不通で要求を送信できなかった場合などもユーザに通知することが望まれる。一方、ステップＳ３において、所定時間内に録画装置１０１から応答があれば、受信した応答の内容によって処理を行なう（ステップＳ５）。詳細は各要求の処理と同じく後述する。
【００６９】
図８は、録画装置１０１で行なわれる処理の概要を示すフローチャートである。通信部３０２を介して、携帯端末装置１０２あるいは１０３から、または操作入力部３０１より要求が入力されると（ステップＳ１０）、その要求に付加されている端末情報と、ユーザ情報管理部３０３で管理されている登録端末情報とから、登録されている端末であるかどうかを判断し（ステップＳ１１）、この判断の結果、ユーザ情報管理部３０３の登録端末情報に一致しない端末からの要求である場合には、無効なユーザであると応答する（ステップＳ１２）。一方、ステップＳ１１において、ユーザ情報管理部３０３の登録端末情報に一致する端末からの要求である場合には、要求判別部３０５で各要求に振り分けられ、それぞれの処理がなされる（ステップＳ１３）。
【００７０】
次に、図９に示すフローチャートを用いて録画予約の処理について説明する。携帯端末装置１０２あるいは１０３から録画予約をする場合、録画予約要求処理部２０３は、番組情報取得部２０４で取得した番組情報から番組表を提示する。ユーザは、この番組表に基づいて、操作入力部２０１を操作して録画する番組を決定する（ステップＳ２１）。次に、録画する端末を決定する（ステップＳ２２）。録画予約要求処理部２０３は、録画装置情報管理部２０８で管理されている録画装置から選択できるような画面を表示する。登録されている録画装置が１つしかない場合や、あるいはデフォルトの録画装置が設定されている場合は、自動で録画端末の選択ができるため、ユーザによる選択は必要なくなる。
【００７１】
次に、録画予約要求処理部２０３は、端末情報管理部２０９で管理されている端末情報を付加して録画予約要求を作成し、録画装置１０１に対して録画予約要求を送信する（ステップＳ２３）。
【００７２】
図６は、携帯端末装置１０２および携帯端末装置１０３が、図４で示されるような録画装置情報を持つ場合に、携帯端末装置１０２（ユーザＡ）と携帯端末装置１０３（ユーザＢ）が作成する録画予約要求の例を示す図である。携帯端末装置１０２は、図６（ａ）に示すように、録画装置１０１に対して３つの番組の録画予約を行なっている。また、携帯端末装置１０３は、図６（ｂ）に示すように、録画装置１０１に対して１つの番組の録画予約を行なっている。
【００７３】
また、図６（ｃ）に示すように、録画装置１０１から直接操作された場合も（図９：ステップＳ３１）、同様の録画予約要求が録画装置１０１に入力される。ここでは、図４に示す録画装置アドレスの“ＨＤＤ＠ｈｏｍｅ．ｎｅ．ｊｐ”を、録画装置１０１を示すアドレスとしている。
【００７４】
図９において、録画装置１０１では、携帯端末装置１０２、あるいは携帯端末装置１０３からの録画予約要求を受信する（ステップＳ３２）。録画装置１０１は、受信した録画予約要求に示されるユーザについて、ユーザ認証を行なう（ステップＳ３３）。より具体的には、このユーザ認証（登録判定）では、録画予約要求をした端末情報が、ユーザ情報管理部３０３に管理されているユーザ情報の登録端末情報にあるかどうかを判断する。この判断の結果、登録されていない端末である場合は、無効なユーザであることを通知する（ステップＳ３４）。なお、この認証する方法としては、端末情報ではなく、ユーザ個別のＩＤとパスワードにより行なっても良いが、各人が持っている携帯電話機などで接続した場合は、自動でユーザのプライベートモードにするほうがユーザにとって使いやすいと考えられる。
【００７５】
一方、ステップＳ３３において、録画予約要求をした端末情報が、ユーザ情報管理部３０３に管理されているユーザ情報の登録端末情報にある場合は、録画予約要求は、要求判別部３０５によって、録画予約要求処理部３０６に送信される。録画予約要求処理部３０６では、録画予約要求にある録画予約番組の情報とユーザ情報とをコンテンツ情報管理部３１２に格納する（ステップＳ３５）。
【００７６】
次に、録画装置１０１では、録画予約が完了したことを、録画予約要求を行なった携帯端末装置に対して通知する（ステップＳ３６）。その後、録画予約の時間になると、録画予約要求処理部３０６は、録画予約の番組を、チューナ部３０７から受信し、コンテンツ記憶部３１３に録画し（ステップＳ３７）、保存場所を示すアドレスなどをコンテンツ管理リストに追加し、録画状況を録画済みとする（ステップＳ３８）。
【００７７】
一方、携帯端末装置では、録画装置で録画予約失敗の通知を受けると（ステップＳ２４）、ユーザに対して再度録画予約要求を行なうかどうかを問い合わせる（ステップＳ２５）。ユーザが録画予約要求を再試行するよう操作すると、ステップＳ２２へ移行し、上記手順を行なう。再試行は必ずしもユーザに問い合わせる必要はなく、自動で所定の回数行なうようにしてもよい。また、ステップＳ２４において、録画装置から所定の時間応答がなければ、録画予約が失敗したとして、再試行するようにしてもよい。録画装置から録画予約の完了が通知されると（ステップＳ３６）、ユーザに成功したことを通知する（ステップＳ２６）。
【００７８】
例えば、図６に示す録画予約要求が録画装置１０１に送信されたとき、録画装置１０１のユーザ情報管理部３０３で図５に示すユーザ情報を管理していたとする。録画予約要求の端末情報である、“０９０−ａａａ−ａａａａ”と、“０９０−ｂｂｂ−ｂｂｂｂ”とが、録画装置１０１が持つユーザ情報にあるので認証され、録画予約の番組がコンテンツ情報管理部３１２のコンテンツ管理リストに設定される。また、第１の実施形態では、録画装置１０１を直接操作して予約された場合を共通ユーザとして扱うが、ステップＳ３１のように直接入力された場合も、図６（ｃ）のように、端末情報を要求につけ、ユーザ情報にも登録しておくと、１ユーザのように扱うことができる。
【００７９】
コンテンツ管理リストは、例えば、図１０に示すような構成を採る。図１０では、録画予約要求のチャンネル、時間、チューナ部を介して取得される番組表から番組名も記録している。例えば、番組「特番」のようにユーザＢと共通ユーザ（録画装置１０１）との両方から録画予約されていて、両方の指定するパラメータ（ここでは録画モード）が異なる場合は、優先するユーザや、優先する値を決めておけばよい。ここでは、ＳＰとＬＰが指定されているので、より高画質のＳＰを設定している。録画状況は予約された番組の録画がされれば“録画済み”となり、まだ録画されていなければ“未”となっている。録画装置１０１で直接予約した際も、携帯端末で表示されるように、録画予約の成否を示す画面を表示すればよい。
【００８０】
図１１は、携帯端末装置が、図９におけるステップＳ２４で録画予約の失敗を受信したときの画面表示例を示す図である。図１１に示すように、「再試行」とするか、または録画予約要求を「キャンセル」とする、のいずれかを選択することができるようになっている。また、図１２は、携帯端末装置が、図９におけるステップＳ２６で録画予約の成功通知を受信したときの画面表示例を示す図である。図１２に示すように、録画予約に成功した番組の情報を表示し、録画予約を終了するか、または録画予約されている番組のリストを表示するかを選択することができるようになっている。
【００８１】
図１３は、コンテンツリストを表示するためのコンテンツリスト取得要求処理の概要を示すフローチャートである。携帯端末装置１０２、あるいは携帯端末装置１０３では、ユーザによりコンテンツリストの表示操作がなされる（ステップＳ４１）。このコンテンツリストの表示操作は、ユーザが指示せずに自動で行なってもよい。また、録画装置１０１において直接コンテンツリスト取得要求を入力しても良い（ステップＳ５１）。
【００８２】
携帯端末装置では、録画端末の選択を行なって（ステップＳ４２）、コンテンツリスト取得要求処理部２０５は、端末情報管理部２０９で管理されている端末情報を付加してコンテンツリスト取得要求を作成し、録画装置１０１に対してコンテンツリスト取得要求を送信する（ステップＳ４３）。ここで、コンテンツリストの取得要求には、リストすべての取得要求ではなく、まだ見ていないコンテンツの指定や、ジャンルによる指定などができるようになっていてもよい。その場合は、録画装置１０１のコンテンツ情報管理リストには視聴済みかどうかを表す情報、コンテンツ情報としてジャンルの情報なども管理していればよい。
【００８３】
図１３において、録画装置１０１では、携帯端末装置１０２、あるいは携帯端末装置１０３からのコンテンツリスト取得要求を受信する（ステップＳ５２）。録画装置１０１は、受信したコンテンツリスト取得要求に示されるユーザについて、ユーザ認証を行なう（ステップＳ５３）。より具体的には、このユーザ認証（登録判定）では、コンテンツリスト取得要求をした端末情報が、ユーザ情報管理部３０３に管理されているユーザ情報の登録端末情報にあるかどうかを判断する。この判断の結果、登録されていない端末である場合は、無効なユーザであることを通知する（ステップＳ５４）。なお、この認証する方法としては、端末情報ではなく、ユーザ個別のＩＤとパスワードにより行なっても良いが、各人が持っている携帯電話機などで接続した場合は、自動でユーザのプライベートモードにするほうがユーザにとって使いやすいと考えられる。
【００８４】
一方、ステップＳ５３において、コンテンツリスト取得要求をした端末情報が、ユーザ情報管理部３０３に管理されているユーザ情報の登録端末情報にある場合は、コンテンツリスト取得要求処理部３０８は、要求判別部３０５よりコンテンツ取得要求が送信されるので、コンテンツリストの作成処理を行なう（ステップＳ５５）。この処理については後述する。そして、作成したコンテンツリストを要求の送信元に対して送信する（ステップＳ５６）。
【００８５】
携帯端末装置では、録画装置でコンテンツリスト取得失敗の通知を受けると（ステップＳ４４）、ユーザに対して再度録画予約要求を行なうかどうかを問い合わせる（ステップＳ４５）。ユーザが録画予約要求を再試行するよう操作すると、ステップＳ４２へ移行し、上記手順を行なう。再試行は必ずしもユーザに問い合わせる必要はなく、自動で所定の回数行なうようにしてもよい。また、ステップＳ４４において、録画装置から所定の時間応答がなければ、録画予約が失敗したとして、再試行するようにしてもよい。
【００８６】
録画装置からコンテンツリストを受信すると（ステップＳ４６）、そのコンテンツリストを表示する（ステップＳ４７）。なお、録画装置１０１を直接操作してコンテンツリストの表示を行なう場合（ステップＳ５１）も、同様の処理が行なわれる。
【００８７】
図１４は、録画装置１０１におけるコンテンツリスト作成処理の概要を示すフローチャートである。コンテンツリスト取得要求処理部３０８は、初めにコンテンツ情報管理部３１２のコンテンツ管理リストにコンテンツが登録されているかを確認し（ステップＳ６１）、登録されていない場合は、終了し、空のコンテンツリストかコンテンツがないことを携帯端末装置に通知する。一方、ステップＳ６１において、コンテンツ管理リストにコンテンツが登録されている場合は、リストの最初のコンテンツを特定し（ステップＳ６２）、以下の処理を行なう。すなわち、コンテンツリストを要求したユーザが、このコンテンツのユーザ情報に登録されているかどうかを判断する（ステップＳ６３）。登録されている場合は、削除状況にコンテンツリストを要求したユーザが入っているかどうかを判断する（ステップＳ６４）。削除状況にコンテンツリストを要求したユーザが入っている場合は、コンテンツリスト取得要求の要求元に送信するリストにこのコンテンツを含めず、ステップＳ６８へ移行する。一方、削除状況にコンテンツリストを要求したユーザが入っていない場合は、送信するコンテンツリストにそのコンテンツを加える（ステップＳ６５）。
【００８８】
一方、ステップＳ６３において、コンテンツリストを要求したユーザが、このコンテンツのユーザ情報に登録されていない場合は、そのコンテンツのユーザ情報に共通ユーザが登録されているかどうかを判断する（ステップＳ６６）。すなわち、このコンテンツが、録画装置１０１を直接操作して、共通ユーザとして録画予約されているかどうかを判断する。ユーザ情報に共通ユーザが登録されていない場合は、コンテンツリスト取得要求の要求元に送信するリストにこのコンテンツを含めず、ステップＳ６８へ移行する。一方、ユーザ情報に共通ユーザが登録されている場合は、次に、このコンテンツの削除状況に共通ユーザが入っているかどうかを判断する（ステップＳ６４）。すなわち、このコンテンツが、録画装置１０１を直接操作によって削除要求がされているかどうかを確認する。削除状況に共通ユーザが入っている場合は、コンテンツリスト取得要求の要求元に送信するリストにこのコンテンツを含めず、ステップＳ６８へ移行する。一方、ステップＳ６７において、削除状況に共通ユーザが入っていない場合は、送信するコンテンツリストにそのコンテンツを加える（ステップＳ６５）。
【００８９】
これにより、共通ユーザとして録画予約されているコンテンツは、共通ユーザとして削除していなければ、ユーザ情報管理部３０３に登録されているすべてのユーザのコンテンツリストに表示されることになる。そして、次のリストの最後まで調べたかを確認して（ステップＳ６８）、最後まで調べていなければ次のコンテンツを特定し（ステップＳ６９）、ステップＳ６３移行の手順を行なう。最後に、ステップＳ６８において、リストの最後と判定されたら処理を終了し、作成したコンテンツリストをコンテンツリスト取得要求の要求元に送信する。
【００９０】
これにより、各ユーザには自分で録画予約したコンテンツと共通ユーザで録画したコンテンツのリストが表示される。その結果、自分が何を録画したのかについて、他のユーザに知られてしまうことがなくなる。
【００９１】
図１５および図１６は、携帯端末装置でコンテンツ管理リストの表示を行なった場合の画面表示例を示す図であり、図１７は、録画装置では、コンテンツ管理リストの表示を行なった場合の画面表示例を示す図である。ここでは、コンテンツ管理リストが図１０で示す内容である場合の例を示している。図１５は、携帯端末装置１０２で表示されるリストである。ユーザＡはすべてのコンテンツのユーザ情報に登録されているのでリストにはすべてのコンテンツが表示される。図１６は、携帯端末装置１０３で表示されるリストである。携帯端末装置１０２から録画予約している「アタック」と、不特定のユーザが録画装置１０１を直接操作し、共通ユーザとして録画予約した「特番」がリストに表示されている。図１７は、録画装置１０１で表示されるリストである。録画装置１０１を直接操作することは共通ユーザとして操作することになるので、「特番」のみが表示される。なお、ここでの表示は、図に示すように、共通ユーザで録画予約されたコンテンツにはそれを示すマークをつけたり、録画状況が“未”の場合は、まだ予約中であるということを示すマークを表示したりするとユーザにとってより分かり易くなる。表示するのは番組名だけでもよいし、要約なども表示してもよい。
【００９２】
これにより、あるコンテンツを複数のユーザが録画予約した場合は、録画予約をし、かつ、削除していないユーザの携帯端末が表示するコンテンツリストにのみこのコンテンツが表示される。
【００９３】
図１８は、コンテンツ削除要求がなされた場合の動作を示すフローチャートである。ここでは、携帯端末装置１０２、携帯端末装置１０３から、あるいは録画装置１０１を直接操作してコンテンツの削除操作がなされた場合について説明する。携帯端末装置でコンテンツのリストを表示中に（ステップＳ７１、ステップＳ８１）、携帯端末装置１０２、携帯端末装置１０３、あるいは録画装置１０１から、ユーザによりコンテンツの削除操作がなされると（ステップＳ７２、ステップＳ８２）、録画端末の選択を行なって（ステップＳ７３）、コンテンツ削除要求処理部２０６は、端末情報を付加し、コンテンツの削除要求を作成し、録画装置に対して送信する（ステップＳ７４）。
【００９４】
録画装置１０１は、コンテンツ削除要求を受信すると（ステップＳ８３）、そのコンテンツ削除要求に示されるユーザについて、ユーザ認証を行なう（ステップＳ８４）。より具体的には、このユーザ認証（登録判定）では、コンテンツ削除要求をした端末情報が、ユーザ情報管理部３０３に管理されているユーザ情報の登録端末情報にあるかどうかを判断する。この判断の結果、登録されていない端末である場合は、無効なユーザであることを通知する（ステップＳ８５）。なお、この認証する方法としては、端末情報ではなく、ユーザ個別のＩＤとパスワードにより行なっても良いが、各人が持っている携帯電話機などで接続した場合は、自動でユーザのプライベートモードにするほうがユーザにとって使いやすいと考えられる。
【００９５】
一方、ステップＳ８４において、コンテンツ削除要求をした端末情報が、ユーザ情報管理部３０３に管理されているユーザ情報の登録端末情報にある場合は、コンテンツ削除要求処理部３０９は、要求判別部３０５よりコンテンツ削除要求が送信されるので、コンテンツの削除処理を行なう（ステップＳ８６）。この処理については後述する。そして、コンテンツを削除した旨を携帯端末装置へ通知する。
【００９６】
携帯端末装置では、録画装置でコンテンツ削除要求失敗の通知を受けると（ステップＳ７５）、ユーザに対して再度コンテンツ削除要求を行なうかどうかを問い合わせる（ステップＳ７６）。ユーザがコンテンツ削除要求を再試行するよう操作すると、ステップＳ７３へ移行し、上記手順を行なう。再試行は必ずしもユーザに問い合わせる必要はなく、自動で所定の回数行なうようにしてもよい。また、ステップＳ７５において、録画装置から所定の時間応答がなければ、コンテンツ削除要求が失敗したとして、再試行するようにしてもよい。
【００９７】
録画装置からコンテンツを削除した旨の通知を受信すると、表示に反映させる（ステップＳ７７）。なお、録画装置１０１を直接操作してコンテンツ削除要求を行なう場合（ステップＳ８２）も、同様の処理が行なわれる。
【００９８】
次に、コンテンツ削除処理について説明する。図１９は、コンテンツ削除処理の概要を示すフローチャートである。ここでは、録画装置１０１のコンテンツ削除要求処理部３０９で行われる削除処理について説明する。まず、削除要求を行ったユーザをコンテンツ情報管理部３１２のコンテンツ管理リストの削除対象のコンテンツの削除状況に追加する（ステップＳ９１）。
【００９９】
次に、削除対象のコンテンツのユーザ情報に共通ユーザが登録されていて、かつ、削除対象コンテンツの削除状況には共通ユーザが登録されているかどうかを判定する（ステップＳ９２）。ステップＳ９２において、削除対象のコンテンツのユーザ情報に共通ユーザが登録されていて、かつ削除対象コンテンツの削除状況にも、共通ユーザが登録されている場合は、ユーザ情報に存在するユーザで削除状況に存在しないユーザがいるかどうかについて判断する（ステップＳ９３）。ユーザ情報に存在するユーザで削除状況に存在しないユーザがいない場合は、削除対象のコンテンツについてすべてのユーザが削除の指示を行なっているので、削除要求したユーザに削除の成功を通知すると共に（ステップＳ９４）、コンテンツ情報リストの保存場所情報にあるコンテンツの実体を削除する（ステップＳ９５）。一方、ステップＳ９３において、ユーザ情報に存在するユーザで削除状況に存在しないユーザがいる場合は、削除要求したユーザに削除の成功を通知する（ステップＳ９６）。
【０１００】
一方、ステップＳ９２において、削除対象のコンテンツのユーザ情報に共通ユーザが登録されていて、かつ削除対象コンテンツの削除状況には、共通ユーザが登録されていない場合は、削除要求を行ったユーザ以外の、ユーザ情報管理部３０３のユーザ情報リストに登録されているすべてのユーザに、この削除対象のコンテンツを削除しても良いかどうかを確認する、コンテンツ削除通知を送信する（ステップＳ９７）。コンテンツ削除通知には、削除対象のコンテンツ情報が含まれる。削除通知応答を受信した端末の処理については後述する。その後、コンテンツ削除通知応答を受信すると、その応答内容に従って処理を行なう（ステップＳ９８）。この処理についても後述する。
【０１０１】
図２０は、図１９のステップＳ９７で送信されたコンテンツ削除通知を受信した端末における処理の概要を示すフローチャートである。以下、携帯端末装置１０２あるいは携帯端末装置１０３が受信したとして説明する。コンテンツ削除通知処理部２０７が、削除通知を受信すると（ステップＳ１０１）、削除通知に含まれるコンテンツ情報を提示して、削除の可否をユーザに問い合わせる（ステップＳ１０２）。コンテンツ削除通知処理部２０７は、所定時間内に削除の可否をユーザが入力するかどうか判定する（ステップＳ１０３）。
【０１０２】
ステップＳ１０３において、一定の時間内にユーザが削除可否を入力した場合は、コンテンツ削除通知処理部２０７は、ユーザの決定に従ってコンテンツの削除の可否をコンテンツ削除通知応答として、コンテンツ削除通知の送信元（録画装置１０１）へ返信する（ステップＳ１０４）。削除を許可し、コンテンツ削除通知応答を返信した場合は、削除の成功が通知されると表示に反映させる（ステップＳ１０５）。
【０１０３】
一方、ステップＳ１０３において、一定の時間内にユーザが削除可否を入力しなかった場合は、削除可としてコンテンツ削除応答を返信する（ステップＳ１０６）。そして、ユーザにコンテンツの削除を許可したことを通知する（ステップＳ１０７）。なお、ステップＳ１０６〜ステップＳ１０７は、ユーザの入力が所定時間内にない場合は、削除を拒否として応答しても良いし、もう一度ユーザに問い合わせるようにしても良い。また、削除通知を受信した場合、削除通知の送信元が録画装置情報管理部２０８に登録されている録画装置であるか確認してからステップＳ１０２以降の処理を行なってもよい。
【０１０４】
図２１は、録画装置において、削除通知に対する応答を受信した場合の処理の概要を示すフローチャートである。録画装置１０１がコンテンツ削除通知応答を受信すると（ステップＳ１１１）、コンテンツ削除要求処理部３０９は、応答の内容を確認し、削除許可かどうかを判定する（ステップＳ１１２）。削除許可である場合、応答したユーザに削除の成功を通知する（ステップＳ１１３）とともに、応答したユーザをコンテンツ管理リストのそのコンテンツの削除状況に追加する（ステップＳ１１４）。次に、コンテンツ削除通知を送信する対象となったすべてのユーザから応答があったかどうかを判断し（ステップＳ１１６）、すべてのユーザから応答がない場合はステップＳ１１１へ移行する。一方、ステップＳ１１２において、コンテンツ削除通知応答の内容が削除不可の場合は、Ｓ１１３からＳ１１４の処理は行わない。
【０１０５】
ステップＳ１１５において、すべてのユーザからコンテンツ削除応答があった場合は、次に、削除対象のコンテンツの削除状況に、ユーザ情報管理部３０３で管理されているすべてのユーザが登録されているかどうかを判断する（ステップＳ１１６）。すべてのユーザが登録されていれば、削除対象のコンテンツのコンテンツ管理リスト中の保存場所情報にある録画コンテンツの実体を削除する（ステップＳ１１７）。一方、ステップＳ１１６において、すべてのユーザが登録されていなければ処理は終了する。
【０１０６】
ここでは、コンテンツの削除通知を受信した端末が所定の時間ユーザの入力がなければ削除の許可を応答するとしたが、録画装置１０１で、所定の時間応答がなければ削除許可とみなして削除して、結果を通知したり、もう一度削除通知を送信したりするようにしても良い。
【０１０７】
以上のようなコンテンツの削除処理によって、図１０に示したコンテンツ管理リストが図２２のようになった場合、携帯端末装置１０２、携帯端末装置１０３および録画装置１０１のコンテンツリストの表示をそれぞれ、図２３、図２４、図２５に示す。コンテンツ「アタック」はユーザＡから削除の要求がされているが、ユーザＢからはされていないので、ユーザＢのリストにのみ表示される（図２４）。コンテンツ「特番」は共通ユーザのコンテンツなので、削除要求された際にすべてのユーザに通知がいき、共通ユーザとユーザＢが削除を許可している。ユーザＡは許可していないので、この「特番」はユーザＡの画面にしか出てこなくなる（図２３）。共通ユーザのコンテンツはなくなっているので録画装置１０１に表示されるリストには何も表示されない（図２５）。
【０１０８】
図２６は、携帯端末装置の画面表示例を示す図である。ここでは、共通ユーザのコンテンツに対して削除要求がされた際に通知される、コンテンツ削除通知を受信して、ユーザに削除の可否を問う画面を示している。すなわち、コンテンツ削除通知に含まれるコンテンツ情報をユーザに提示し、削除の可否を問うような画面である。この画面は、コンテンツ削除通知を受信したら強制的に表示しても良いし、通知が来ていることをマークや音でユーザに通知して、ユーザの確認操作で表示されるようにしても良い。また、図２７は、録画装置における削除確認の画面表示例を示す図である。録画装置から直接削除要求を行なった場合は、図２７に示すような画面が表示される。
【０１０９】
これにより、複数のユーザに録画予約されているコンテンツが、あるユーザに消去された場合に、消去したユーザのリストからは消えるが、消去していないユーザのリストからは消えない。また、共通ユーザとして削除した場合は、すべてのユーザにコンテンツの削除を確認することで、例えば、あるユーザが削除不可とした場合、共通ユーザのコンテンツとしては見えなくなり、削除拒否したユーザのリストにのみ表示される。また、全員に確認することによって、コンテンツの消し忘れや、誤った削除などを防ぐことができる。
【０１１０】
（第２の実施形態）
上記の第１の実施形態では、録画装置１０１を直接操作した場合は、共通ユーザとしてのみ取り扱い、プライベートのユーザとしての利用は、携帯端末装置１０２、１０３からのみ行なう場合を説明したが、録画装置１０１を直接利用して複数のユーザを管理する場合も考えられる。その方法を図２８から図３１に例示した。図２８、図２９では、パソコンのユーザ管理と同じように、ユーザ毎にログイン名とパスワードを設定し、入力することでプライベート用として利用できる。図３０、図３１は、録画装置に指紋センサを取り付け、画面に図３０のような画面を表示して、登録しているユーザが指をセンサに当てるだけでログインできるものなどが考えられる。そのほかにも、録画装置にいくつかボタンを設置し、一つ一つに登録しているユーザを割り当てておき、ボタンを押すだけでプライベートのユーザモードで利用できたり、録画装置に赤外線受光部を備え、携帯電話機などから、ユーザ情報を送信することでログインできるようにしたりするなど、さまざまな方法が考えられる。
【０１１１】
図３２は、指紋センサなどで認証情報を入力する認証情報入力部３２０を有する録画装置の構成を示すブロック図である。この録画装置では、ユーザが直接操作しログインすることができる。認証情報入力部３２０を備えている以外は、図３に示す第１の実施形態に係る録画装置と同様である。この認証情報入力部３２０から認証情報を入力し、ユーザ情報管理部３０３のユーザ情報と照合することでユーザ認証を行なう。認証情報入力部３２０とは、上記で説明したように、指紋センサや赤外線受光部、ユーザ毎に割り当てられるボタンスイッチ、ログイン画面にパスワードを入力する場合などは、リモコンなどの操作入力部もこれに含まれる。
【０１１２】
図３３および図３４は、第２の実施形態におけるユーザ情報管理部３０３が保持するデータの一例である。ユーザＩＤとパスワードでログインする場合は、図３３で示されるようなユーザＩＤとパスワードが必要であり、また、ユーザ毎にわかりやすい名前を表示するための表示名も記憶していてもよい。また、指紋センサや画像などでログインする場合には、図３４に示すように、ユーザ毎の表示名と入力されたデータとマッチングするためのパターンデータが認証情報として必要である。
【０１１３】
録画予約、コンテンツリストの表示、コンテンツ削除などは、録画装置を直接複数のユーザでプライベートモードと共用モードを使い分ける場合でも、要求のやり取りを行なうごとにユーザ認証をする必要がなくなるのと、通信部で送信し、携帯端末で表示していた内容を、直接モニタなどに出力するといったこと以外は、第１の実施形態に示した処理と同様であり、同様の効果が得られる。
【０１１４】
以上のように、本発明によれば、ＨＤＤレコーダなどの録画装置を複数のユーザで利用する場合において、各ユーザのプライベートモードでの利用と、共用ユーザモードでの利用が可能となり、各利用者の利便性を向上することができる。
【０１１５】
以上のような特徴的な動作は、コンピュータにプログラムを実行させることによって行なわれる。すなわち、本発明の録画装置の制御プログラムは、テレビジョン放送の録画を行なう録画装置の制御プログラムであって、操作入力部からユーザの操作を受け付ける処理と、通信部に通信ネットワークに接続しデータの送受信を行なわせる処理と、ユーザ情報管理部に特定の外部端末に対応するユーザ情報を登録させる処理と、ユーザ登録判定部に対し、前記通信部を介して外部端末からアクセス要求を受信したときに前記ユーザ情報管理部に前記外部端末に対応するユーザ情報が登録されているかどうかを判定させる処理と、録画予約要求処理部に対し、前記判定の結果、前記ユーザ情報管理部に前記外部端末に対応するユーザ情報が登録されている場合、前記外部端末から録画予約要求を受け付けて、前記録画予約要求に対応するコンテンツの録画予約を行なわせる一方、前記操作入力部の操作により録画予約要求が入力された場合、前記録画予約要求に対応するコンテンツの録画予約を行なわせる処理と、コンテンツ記憶部に、前記録画予約に従って、テレビジョン放送されたコンテンツを記憶させる処理と、出力部に、画像または音声データを出力させる処理と、を少なくとも含み、コンピュータが実行し得る命令群として構成したことを特徴としている。この構成により、外部端末から録画予約するユーザモードと操作入力部から直接録画予約する共用モードとを使い分けることが可能となる。
【０１１６】
上記のプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【図面の簡単な説明】
【０１１７】
【図１】第１の実施形態に係る録画システムの概略構成を示す図である。
【図２】第１の実施形態に係る携帯端末装置の概略構成を示すブロック図である。
【図３】第１の実施形態に係る録画装置の概略構成を示すブロック図である。
【図４】録画装置情報を示す図である。
【図５】ユーザ情報を示す図である。
【図６】録画予約要求の状況を示す図である。
【図７】携帯端末装置における処理の概要を示すフローチャートである。
【図８】録画装置で行なわれる処理の概要を示すフローチャートである。
【図９】録画予約の処理の概要を示すフローチャートである。
【図１０】コンテンツ管理リストを示す図である。
【図１１】携帯端末装置が、図９におけるステップＳ２４で録画予約の失敗を受信したときの画面表示例を示す図である。
【図１２】携帯端末装置が、図９におけるステップＳ２６で録画予約の成功通知を受信したときの画面表示例を示す図である。
【図１３】コンテンツリストを表示するためのコンテンツリスト取得要求処理の概要を示すフローチャートである。
【図１４】録画装置におけるコンテンツリスト作成処理の概要を示すフローチャートである。
【図１５】携帯端末装置でコンテンツ管理リストの表示を行なった場合の画面表示例を示す図である。
【図１６】携帯端末装置でコンテンツ管理リストの表示を行なった場合の画面表示例を示す図である。
【図１７】録画装置では、コンテンツ管理リストの表示を行なった場合の画面表示例を示す図である。
【図１８】コンテンツ削除要求がなされた場合の動作を示すフローチャートである。
【図１９】コンテンツ削除処理の概要を示すフローチャートである。
【図２０】図１９のステップＳ９７で送信されたコンテンツ削除通知を受信した端末における処理の概要を示すフローチャートである。
【図２１】録画装置において、削除通知に対する応答を受信した場合の処理の概要を示すフローチャートである。
【図２２】コンテンツ管理リストを示す図である。
【図２３】携帯端末装置におけるコンテンツリストの画面表示例を示す図である。
【図２４】携帯端末装置におけるコンテンツリストの画面表示例を示す図である。
【図２５】録画装置におけるコンテンツリストの画面表示例を示す図である。
【図２６】携帯端末装置における削除確認通知の画面表示例を示す図である。
【図２７】録画装置における削除確認の画面表示例を示す図である。
【図２８】録画装置を直接使用して複数のユーザを管理する場合の画面表示例を示す図である。
【図２９】録画装置を直接使用して複数のユーザを管理する場合の画面表示例を示す図である。
【図３０】録画装置を直接使用して複数のユーザを管理する場合の画面表示例を示す図である。
【図３１】指紋センサを有する録画装置の外観を示す図である。
【図３２】指紋センサなどで認証情報を入力する認証情報入力部を有する録画装置の構成を示すブロック図である。
【図３３】第２の実施形態におけるユーザ情報管理部が保持するデータの一例である。
【図３４】第２の実施形態におけるユーザ情報管理部が保持するデータの一例である。
【符号の説明】
【０１１８】
１０１  録画装置
１０２  携帯端末装置
１０３  携帯端末装置
１０４  通信ネットワーク
１０５  モニタ
２０１  操作入力部
２０２  表示部
２０３  録画予約要求処理部
２０４  番組情報取得部
２０５  コンテンツリスト取得要求処理部
２０６  コンテンツ削除要求処理部
２０７  コンテンツ削除通知処理部
２０８  録画装置情報管理部
２０９  端末情報管理部
２１０  通信部
２１１  制御線
３０１  操作入力部
３０２  通信部
３０３  ユーザ情報管理部
３０４  ユーザ登録判定部
３０５  要求判別部
３０６  録画予約要求処理部
３０７  チューナ部
３０８  コンテンツリスト取得要求処理部
３０９  コンテンツ削除要求処理部
３１０  コンテンツ削除通知生成部
３１１  コンテンツ再生処理部
３１２  コンテンツ情報管理部
３１３  コンテンツ記憶部
３１４  出力部
３１５  映像・音声出力装置
３２０  認証情報入力部
【図１】
2008135995.tif 000003
【図２】
2008135995.tif 000004
【図３】
2008135995.tif 000005
【図４】
2008135995.tif 000006
【図５】
2008135995.tif 000007
【図６】
2008135995.tif 000008
【図７】
2008135995.tif 000009
【図８】
2008135995.tif 000010
【図９】
2008135995.tif 000011
【図１０】
2008135995.tif 000012
【図１１】
2008135995.tif 000013
【図１２】
2008135995.tif 000014
【図１３】
2008135995.tif 000015
【図１４】
2008135995.tif 000016
【図１５】
2008135995.tif 000017
【図１６】
2008135995.tif 000018
【図１７】
2008135995.tif 000019
【図１８】
2008135995.tif 000020
【図１９】
2008135995.tif 000021
【図２０】
2008135995.tif 000022
【図２１】
2008135995.tif 000023
【図２２】
2008135995.tif 000024
【図２３】
2008135995.tif 000025
【図２４】
2008135995.tif 000026
【図２５】
2008135995.tif 000027
【図２６】
2008135995.tif 000028
【図２７】
2008135995.tif 000029
【図２８】
2008135995.tif 000030
【図２９】
2008135995.tif 000031
【図３０】
2008135995.tif 000032
【図３１】
2008135995.tif 000033
【図３２】
2008135995.tif 000034
【図３３】
2008135995.tif 000035
【図３４】
2008135995.tif 000036